(57)【要約】【課題】部屋の壁面を装飾して意匠的効果を高めることの可能な引き戸の取付構造を提供する。【解決手段】部屋を囲む壁面のうち少なくとも１つの壁面４の水平方向全長にわたって壁面４から室内側に突出するように鴨居１が設けられるとともに、鴨居１の下方には鴨居１に平行な敷居２が壁面４の水平方向全長にわたって壁面４から室内側に突出するように設けられており、鴨居１と敷居２の間に引き戸３を装着し、壁面４の水平方向全長にわたって移動可能とした。【選択図】図１
2007309041.tif 000002
【特許請求の範囲】
【請求項１】
部屋を囲む壁面のうち少なくとも１つの壁面の水平方向全長にわたって壁面から室内側に突出するように鴨居が設けられるとともに、前記鴨居の下方には前記鴨居に平行な敷居が壁面の水平方向全長にわたって壁面から室内側に突出するように設けられており、
前記鴨居と前記敷居の間に引き戸を装着し、壁面の水平方向全長にわたって移動可能としたことを特徴とする引き戸の取付構造。
【請求項２】
前記鴨居と前記敷居の間の壁面に開口部を設けたことを特徴とする請求項１に記載の引き戸の取付構造。
【請求項３】
部屋を囲むすべての壁面に前記鴨居及び前記敷居を設けたことを特徴とする請求項１又は請求項２に記載の引き戸の取付構造。
【発明の詳細な説明】
【技術分野】
【０００１】
本発明は、住宅等の部屋における引き戸の取付構造に関するものである。より詳しくは、部屋の壁面を装飾する意匠的効果を有する引き戸の取付構造に関するものである。
【背景技術】
【０００２】
従来、建築における壁造りは、「真壁」と「大壁」に大別されている。
このうち「真壁」は、日本の伝統的な和風建築の壁造りのことで、柱や梁などを用いて構造躯体として造られた木造軸組が室内にむき出しになっており、構造材が室内のデザイン要素となるような壁である。「真壁」は、柱や梁などの木質構造材が室内に露出しているので、室内の温度・湿度が調整しやすく構造材の耐久性がよいといった利点があるものの、柱が仕上げ材になるのでカンナ掛けをする必要があるなど、工程的に手間がかかるものである。
これに対して「大壁」は、構造躯体を石膏ボードや壁合板などの壁材で隠してしまう壁造りのことで、「真壁」よりも強度が高く、また柱にカンナ掛けをする必要がないので、工程的にも手間がかからないものである。
ここで「大壁」による壁造りで和室を設ける場合には、「真壁」による壁造りの場合と同様な雰囲気を出すために、付柱や付鴨居を取り付けることが行われている（例えば、特許文献１参照。）。図８は、このような「大壁」による壁造りを採用した住宅における引き戸の取付構造を示す正面図である。
【０００３】
図８に示す従来例においては、和室の壁面４に開口部５０が設けられており、開口部５０の両脇の壁面に付柱９ａ，９ｂが取り付けられている。付柱９ａは、壁面４を装飾する意匠的役割を担うとともに、開口部５０の枠材として機能している。これに対して付柱９ｂは、壁面４を装飾する意匠的役割のみを担っている。
また、開口部５０の上辺部には鴨居１０が取り付けられ、開口部５０の下辺部には敷居２０が取り付けられている。鴨居１０には下向きの溝が形成されるとともに、敷居２０には上向きの溝が形成されており、鴨居１０と敷居２０の間に引き戸３０，３０が取り付けられている。そして、引き戸３０，３０を水平方向に移動させて開口部５０を開閉するようになっている。
【０００４】
一方、開口部５０の両脇の壁面４，４には、鴨居１０から延設されるように付鴨居１１，１１が取付られている。この付鴨居１１，１１には溝が形成されておらず、単なる装飾のために取り付けられている。
さらに、鴨居１０，付鴨居１１，１１の上部には、長押１２が取り付けられている。
以上により、「大壁」による壁造りを採用した住宅において、「真壁」による壁造りの和室と同様な雰囲気を出すことができるようになっている。
【０００５】
一方、引き戸により部屋の開口部を開閉するための構造として、開口部の上下に沿って壁から室内側に突出するように鴨居と敷居を設けて、その鴨居と敷居の間に引き戸を取り付けるようにした発明が開示されている（例えば、特許文献２、特許文献３参照。）。
これにより、開口部に引き戸を容易に取り付けることができるようになっている。
【特許文献１】特開平５−７１１８８号公報
【特許文献２】特許第３１６２６１８号公報
【特許文献３】特開平１１−３０３５１６号公報
【発明の開示】
【発明が解決しようとする課題】
【０００６】
しかし、図８に示す従来例においては、引き戸３０，３０の移動範囲が、開口部５０の幅に限られており、開口部５０の両脇の壁面４，４には付鴨居１１，１１や長押１２が取り付けられているだけで、意匠的効果が限定的なものであった。
【０００７】
一方、開口部の上下に沿って壁から室内側に突出するように鴨居と敷居を設けて、その鴨居と敷居の間に引き戸を取り付けるようにした発明においては、部屋の開口部を引き戸で開閉するための限られた範囲で鴨居や敷居が設けられており、開口部の両脇の壁面の意匠的効果を向上させることはできなかった。
【０００８】
そこで本発明は、上記従来の課題を解決するためのものであり、部屋の壁面を装飾して意匠的効果を高めることの可能な引き戸の取付構造を提供するものである。
【課題を解決するための手段】
【０００９】
上記従来の課題を解決するために、請求項１に係る発明の引き戸の取付構造は、部屋を囲む壁面のうち少なくとも１つの壁面（４）の水平方向全長にわたって壁面（４）から室内側に突出するように鴨居（１）が設けられるとともに、前記鴨居（１）の下方には前記鴨居（１）に平行な敷居（２）が壁面（４）の水平方向全長にわたって壁面（４）から室内側に突出するように設けられており、前記鴨居（１）と前記敷居（２）の間に引き戸（３）を装着し、壁面（４）の水平方向全長にわたって移動可能としたことを特徴とする。
なお、ここでいう「部屋を囲む壁面」とは、例えば、矩形状の部屋であれば通常４面存在するが、壁が３面で残りの１面が襖である部屋や、壁が２面で残りの２面にはそれぞれ引き戸のみが天井から吊持ちされたレールに取り付けられているような部屋の場合には、必ずしも４面存在するものではない。従って、部屋を形成している壁面であればその数は限定されない。
また、鴨居及び敷居は、壁面から室内側に突出するように設けられるが、必ずしも鴨居及び敷居の側面が壁面に当接している必要はなく、鴨居及び敷居が壁面よりも室内側に突出していれば、その取付構造は特に限定されない。
【００１０】
また、請求項２に係る発明は、請求項１に記載の発明において、前記鴨居（１）と前記敷居（２）の間の壁面（４）に開口部（５）を設けたことを特徴とする。
【００１１】
また、請求項３に係る発明は、請求項１又は請求項２に記載の発明において、部屋を囲むすべての壁面に前記鴨居（１）及び前記敷居（２）を設けたことを特徴とする。
【００１２】
なお、括弧内の記号は、発明を実施するための最良の形態および図面に記載された対応要素または対応事項を示す。
【発明の効果】
【００１３】
請求項１に記載の発明によれば、部屋を囲む壁面のうち少なくとも１つの壁面に鴨居と敷居を設け、鴨居と敷居の間に引き戸を装着したので、壁面を引き戸により装飾することで意匠的効果を高めることができる。
また、壁面の水平方向全長にわたって鴨居を設けたので、従来の「大壁」による壁造りで和室を設ける場合に取り付けていた付鴨居と同様の意匠性を付与することができる。
また、引き戸を壁面の水平方向全長にわたって移動可能としたので、引き戸を移動させて壁面全体を装飾することができる。
また、鴨居と敷居を壁面から室内側に突出するように設けたので、鴨居と敷居を容易に取り付けることができる。
【００１４】
また、請求項２に記載の発明によれば、請求項１に記載の発明の作用効果に加えて、鴨居と敷居の間の壁面に開口部を設けたので、開口部により隣室との往来が可能となる。さらに、鴨居と敷居は壁面から室内側に突出しているので、開口部の部分にも開口部以外の部分にも、同じ鴨居と敷居を取り付けることができる。従って、開口部が存在しても、引き戸を壁面の端から端まで連続的に移動させることができる。
【００１５】
また、複数の壁面に鴨居と敷居を設ければ、壁面に大きな開口部を設けやすくなる。すなわち、通常、壁１面が４枚の引き戸で仕切られた部屋の場合、開口部は引き戸２枚分となり、それ以上の開口部を設けようとすれば、引き戸を外して壁に立てかけておくか、何処かへ撤去する必要がある。これでは、立てかけた引き戸が倒れる危険性があり、また撤去の手間と置場が必要となる。これに対して本発明によれば、引き戸を取り外して別の壁面の鴨居と敷居の間に装着することができるので、問題なく開口部を引き戸４枚分まで大きくすることができる。その場合、新たに引き戸を装着した壁面の意匠性にも寄与することができる。
また、通常の片引き戸が一方にしか開かないのに対して、本発明によれば、引き戸が左右両方に開くので、開口部を設ける場合により自由に設計することができる。
【００１６】
また、請求項３に記載の発明によれば、請求項１又は請求項２に記載の発明の作用効果に加えて、部屋を囲むすべての壁面に鴨居と敷居を設けたので、部屋の全周を引き戸により装飾することができ、意匠的効果をさらに高めることができる。
【発明を実施するための最良の形態】
【００１７】
次に、図１乃至図７及び図９、図１０を参照して、本発明の実施形態に係る引き戸の取付構造について説明する。
図１は、本実施形態に係る引き戸の取付構造を示す斜視図である。図１は、部屋を囲む壁面のうち、２つの壁面４，４のコーナー部を中心に示したものである。
なお、ここでいう「部屋を囲む壁面」とは、例えば、矩形状の部屋であれば通常４面存在するが、壁が３面で残りの１面が襖である部屋や、壁が２面で残りの２面にはそれぞれ引き戸のみが天井から吊持ちされたレールに取り付けられているような部屋の場合には、必ずしも４面存在するものではない。従って、部屋を形成している壁面であればその数は限定されない。
また、部屋は和室洋室のいずれであってもよい。
【００１８】
図１に示すように、部屋を囲む壁面４には、鴨居１及び敷居２が設けられており、鴨居１と敷居２の間に引き戸３が装着されて水平方向に移動できるようになっている。鴨居１と敷居２は、２つの壁面４，４のコーナー部において当接するようになっている。
また、一方の壁面４には、鴨居１と敷居２の間に開口部５が設けられて、隣室との往来ができるようになっている。なお、開口部５は、隣室との間の開口部に限らず、ベランダや押入れ等との間の開口部であってもよい。
【００１９】
図２は、本実施形態に係る引き戸の取付構造を示す正面図であり、図１において開口部５が設けられた側の壁面４を示すものである。
図２に示すように、鴨居１は壁面４の水平方向全長にわたって設けられている。すなわち、鴨居１は壁面４の左端から右端まで連続して設けられている。なお、鴨居１の上に長押を設けてもよい。
また、鴨居１の下方には鴨居１に平行な敷居２が設けられている。敷居２も鴨居１と同様に、壁面４の水平方向全長にわたって設けられている。
【００２０】
そして、鴨居１と敷居２の間に引き戸３が装着されて、左右に移動可能となっている。
ここで、鴨居１と敷居２が壁面４の水平方向全長にわたって設けられていることから、引き戸３を、壁面４の水平方向全長にわたって移動させることが可能である。従って、引き戸３は、図２において最も左側の位置に移動させれば、開口部５を閉鎖することができる。また、右側の位置に移動させれば、壁面４を装飾して意匠的効果を高めることができる。
【００２１】
ここで、壁面４にコンセントが設けてあり、電気器具等が繋がれているような場合には、そのまま引き戸３を移動させると、プラグやコンセントが破損するおそれがある。従って、このような場合に備えて、鴨居１か敷居２に引き戸３の移動を規制するストッパーを設けるとよい。例えば、住宅の施工、引渡し時にはストッパーを設けておき、施主がストッパーを取り外したり、位置を変更したりすることで、移動範囲を自由に決めることができるようにするとよい。このようにすれば、室内の家具等の配置換えにともない、左右両開きのところを左右一方へ開くように設定したり、左右の開き方向を変更することもできる。
【００２２】
なお、本実施形態では、引き戸３を１枚としているが、もちろん複数枚の引き戸を装着することも可能である。
また、引き戸３の種類は、障子、襖、ガラス戸、鏡を嵌め込んだもの等、部屋の雰囲気に合わせて自由に選ぶことが可能であり、またその横幅も特に限定されず、好みに合わせて日々変更することもできる。さらには、本棚やＴＶ台等奥行きのあるものを引き戸３として形成して装着してもよい。
【００２３】
次に、図３乃至図５を参照して、鴨居１、敷居２、及び引き戸３の取付構造について説明する。図３は、図２のＡ−Ａ断面図である。また、図４は図３のうち鴨居１の部分を、図５は図３のうち敷居２の部分をそれぞれ示す、拡大断面図である。
【００２４】
図３に示すように、部屋と部屋を仕切る壁は、複数の柱１３を両側から挟むようにパネル４ａ，４ｂが取り付けられて構成されている。そして、パネル４ａが本実施形態における室内側の壁面４となっている。
鴨居１は、パネル４ａから室内側に突出するように取り付けられており、同様に敷居２もパネル４ａから室内側に突出するように取り付けられている。また、敷居２の下面は床７に当接している。そして、鴨居１の下面と敷居２の上面の間に、引き戸３が装着されている。
【００２５】
図４に示すように、鴨居１は、下面に溝部１ａが形成された断面凹字形の長尺部材である。
鴨居１をパネル４ａ（壁面４）に取り付けるにあたっては、まず断面Ｌ字形のプレート１ｂを、木ネジ８ａ，８ａを介してパネル４ａに取り付ける。このとき木ネジ８ａ，８ａを、パネル４ａに当接する柱１３の部分まで貫通するように捻じ込む。そして、鴨居１をプレート１ｂの折曲部に合わせて嵌着し、木ネジ８ｂ，８ｂを介して鴨居１とプレート１ｂを結合する。なお、鴨居１の上面と側面には、プレート１ｂと嵌合する凹部が設けられており、プレート１ｂが外部に露出しないようになっている。
一方、引き戸３の上端部には、鴨居１の溝部１ａよりも若干幅の狭いガイド部材３ａが形成されており、ガイド部材３ａを溝部１ａ内で摺動させることにより、引き戸３を水平方向に移動できるようになっている。
【００２６】
また、図５に示すように、敷居２は、上面に溝部２ａが形成された断面凹字形の長尺部材である。また、溝部２ａには、Ｙレール２ｂが嵌着されている。
敷居２の下面は床７に当接して固定されており、敷居２の側面は柱１３に当接して固定されている。そして、パネル４ａの下端部を敷居２の上面に載せて固定するようになっている。
なお、敷居２の取付構造は、図５に示す構造に限定されるものではなく、例えば図９に示すように、パネル４ａの下面を床７に当接させ、敷居２の側面をパネル４ａに当接させて固定してもよい。また、図１０に示すように、柱１３とパネル４ａの間に胴縁１４が設けられる場合には、敷居２の下面を床７に当接させて固定し、敷居２の側面を胴縁１４に当接させて固定し、パネル４ａの下端部を敷居２の上面に載せて固定するようにしてもよい。
【００２７】
このように、敷居２は、壁面４から室内側に突出するように設けられるが、必ずしも敷居２の側面が壁面４に当接している必要はなく、敷居２が壁面４よりも室内側に突出していれば、その取付構造は特に限定されない。
この点は、鴨居１についても同様であり、鴨居１は、壁面４から室内側に突出するように設けられるが、必ずしも鴨居１の側面が壁面４に当接している必要はなく、鴨居１が壁面４よりも室内側に突出していれば、その取付構造は特に限定されない。例えば、パネル４ａを上下に２分割し、２枚のパネル４ａ，４ａで鴨居１の端部を上下から挟み込むような形で取り付けてもよい。
【００２８】
一方、引き戸３の下端部には、敷居２のＹレール２ｂに係合する戸車３ｂが取り付けられており、戸車３ｂをＹレール２ｂ上で転動させることにより、引き戸３を水平方向に移動できるようになっている。
Ｙレール２ｂの代わりにＶレールを用いてもよいが、Ｖレールと比較してＹレールは、中央下部に溝が設けられているとともに、戸車３ｂの中央に突起が設けられているので、引き戸３が外れにくい。また、小さなゴミが溝に納まるので、砂などが噛んでレールが磨耗するのを防止できる。
【００２９】
このように鴨居１と敷居２を壁面４から室内側に突出するように設けることで、壁面４における開口部５の有無にかかわらず、同じ取付方法で鴨居１及び鴨居２を取り付けることができる。
すなわち、通常、開口部に鴨居及び敷居を取り付ける場合には、開口部の内周縁部の上辺部及び下辺部に沿って取り付けることになるが、そうすると開口部に取り付ける鴨居及び敷居と開口部以外の部分に取り付ける鴨居及び敷居が別物とならざるを得ず、引き戸を連続的に移動させることができない。
これに対して、本実施形態に係る取付構造では、開口部５と開口部５以外の部分で、同じように壁面４から室内側に突出するように鴨居１及び敷居２を設けるので、開口部５の部分にも開口部５以外の部分にも、同じ鴨居１と敷居２を取り付けることができる。そのため、引き戸３を壁面４の端から端まで連続的に移動させることができる。
【００３０】
本実施形態の場合、図８に示す従来例と異なり、図８における付柱９ａ，９ｂを用いず、また鴨居１０と付鴨居１１を一体化した構成となっているので、施工が容易で、デザインもシンプルな和風テイストのある仕上がりとすることができる。
【００３１】
なお、本実施形態においては、鴨居１及び敷居２に１本の溝部を形成したが、溝部を複数形成してそれぞれの溝部に引き戸３を装着してもよい。
【００３２】
本実施形態に係る引き戸の取付構造によれば、部屋を囲む壁面４に鴨居１と敷居２を設け、鴨居１と敷居２の間に引き戸３を装着したので、壁面４を引き戸３により装飾することで意匠的効果を高めることができる。
また、壁面４の水平方向全長にわたって鴨居１を設けたので、従来の「大壁」による壁造りで和室を設ける場合に取り付けていた付鴨居と同様の意匠性を付与することができる。
また、引き戸３を壁面４の水平方向全長にわたって移動可能としたので、引き戸３を移動させて壁面４全体を装飾することができる。
また、鴨居１と敷居２を壁面４から室内側に突出するように設けたので、鴨居１と敷居２を容易に取り付けることができる。
【００３３】
また、鴨居１と敷居２の間の壁面４に開口部５を設けたので、開口部５により隣室との往来が可能となる。さらに、鴨居１と敷居２は壁面４から室内側に突出しているので、開口部５の部分にも開口部５以外の部分にも、同じ鴨居１と敷居２を取り付けることができる。従って、開口部５が存在しても、引き戸３を壁面４の端から端まで連続的に移動させることができる。
【００３４】
また、複数の壁面４に鴨居１と敷居２を設ければ、壁面４に大きな開口部５を設けやすくなる。すなわち、通常、壁１面が４枚の引き戸で仕切られた部屋の場合、開口部は引き戸２枚分となり、それ以上の開口部を設けようとすれば、引き戸を外して壁に立てかけておくか、何処かへ撤去する必要がある。これでは、立てかけた引き戸が倒れる危険性があり、また撤去の手間と置場が必要となる。これに対して本実施形態に係る引き戸の取付構造によれば、引き戸３を取り外して別の壁面４の鴨居１と敷居２の間に装着することができるので、問題なく開口部５を引き戸４枚分まで大きくすることができる。その場合、新たに引き戸３を装着した壁面４の意匠性にも寄与することができる。
また、通常の片引き戸が一方にしか開かないのに対して、本実施形態に係る引き戸の取付構造によれば、引き戸３が左右両方に開くので、開口部５を設ける場合により自由に設計することができる。
【００３５】
なお、鴨居１と敷居２を設ける壁面４は、部屋を囲む壁面のうち少なくとも１つの壁面であればよい。もちろん２つの壁面や３つの壁面に設けてもよいし、さらに部屋を囲むすべての壁面の水平方向全長にわたって鴨居１と敷居２を設けてもよい。
図６は、平面視矩形状の部屋を囲む四方すべての壁面の水平方向全長にわたって鴨居１と敷居２を設けた様子を、部屋の上方から見た図である。
このように、部屋を囲むすべての壁面に鴨居１と敷居２を設けることにより、部屋の全周を引き戸３により装飾することができ、意匠的効果をさらに高めることができる。
【００３６】
また、本実施形態においては、敷居２の下面を床７に当接させて固定する構成としたが、図７に示すように、敷居２を床７よりも上方に位置させて壁面４に固定してもよい。このようにすることで、引き戸３による装飾を多彩にして、意匠的効果に変化を持たせることができる。
【図面の簡単な説明】
【００３７】
【図１】本発明の実施形態に係る引き戸の取付構造を示す斜視図である。
【図２】本実施形態に係る引き戸の取付構造を示す正面図である。
【図３】図２のＡ−Ａ断面図である。
【図４】図３のうち鴨居の部分を示す拡大断面図である。
【図５】図３のうち敷居の部分を示す拡大断面図である。
【図６】部屋を囲むすべての壁面に鴨居と敷居を設けた様子を、部屋の上方から見た図である。
【図７】他の実施形態に係る引き戸の取付構造を示す正面図である。
【図８】従来例に係る引き戸の取付構造を示す正面図である。
【図９】他の実施形態に係る敷居の部分を示す拡大断面図である。
【図１０】他の実施形態に係る敷居の部分を示す拡大断面図である。
【符号の説明】
【００３８】
１      鴨居
１ａ    溝部
１ｂ    プレート
２      敷居
２ａ    溝部
２ｂ    Ｙレール
３      引き戸
３ａ    ガイド部材
３ｂ    戸車
４      壁面
４ａ    パネル
４ｂ    パネル
５      開口部
６      天井
７      床
８ａ    木ネジ
８ｂ    木ネジ
９ａ    付柱
９ｂ    付柱
１０      鴨居
１１      付鴨居
１２      長押
１３      柱
１４      胴縁
２０      敷居
３０      引き戸
５０      開口部
【図１】
2007309041.tif 000003
【図２】
2007309041.tif 000004
【図３】
2007309041.tif 000005
【図４】
2007309041.tif 000006
【図５】
2007309041.tif 000007
【図６】
2007309041.tif 000008
【図７】
2007309041.tif 000009
【図８】
2007309041.tif 000010
【図９】
2007309041.tif 000011
【図１０】
2007309041.tif 000012